(57)【要約】【課題】本発明の課題は、電話端末装置においてユーザがメッセージを利用する機能を改善し、これによりユーザの多様な要求を満たすとともに、ユーザの利便性を向上させることのできる電話端末装置を提供することにある。【解決手段】所定の交換機を介して他の電話端末と通信可能に接続される移動体端末であって、受話器から呼び出し音として出力される複数の呼出情報を記憶する記憶手段と、前記所定の交換機を介して前記他の電話端末に対して発呼を送出する発信手段と、前記発信手段が前記発呼を送出した場合に、前記記憶手段に記憶された複数の呼出情報のうち予め設定された所定の条件に合致する呼出情報を呼び出し音として前記受話器を介して出力する呼出手段と、を備えることを特徴とする移動体端末。【選択図】  図１８
2005020617.tif 000002
【特許請求の範囲】
【請求項１】
所定の交換機を介して他の電話端末と通信可能に接続される電話端末であって、
他の電話端末宛ての複数の通信情報を記憶する記憶手段と、
前記所定の交換機を介して前記他の電話端末に対して発呼を送出する発信手段と、
前記他の電話端末から前記所定の交換機を介して送出される発呼を着信する着信手段と、
前記発信手段が前記発呼を送出した場合または前記着信手段が前記発呼を着信した場合に、前記記憶手段に記憶された複数の通信情報のうち予め設定された所定の条件に合致する通信情報を、前記所定の交換機によって接続された通話路を介して前記他の電話端末に送出する送出手段と、
を備えることを特徴とする電話端末。
【請求項２】
所定の交換機を介して他の電話端末と通信可能に接続される電話端末であって、
他の電話端末宛ての複数の通信情報を記憶する記憶手段と、
前記所定の交換機を介して前記他の電話端末に対して発呼を送出する発信手段と、
前記他の電話端末から前記所定の交換機を介して送出される発呼を着信する着信手段と、
前記記憶手段に記憶された通信情報を前記所定の交換機によって接続された通話路を介して前記他の電話端末に送出する送出手段と、を備え、
前記記憶手段は、通信情報として発信者に対する応答メッセージと着信者に対する挨拶メッセージをそれぞれ記憶し、
前記送出手段は、前記発信手段が前記発呼を送出した場合に、前記記憶手段に記憶された挨拶メッセージを前記他の電話端末に送出する挿入手段と、前記着信手段が前記発呼を着信した場合に、前記記憶手段に記憶された応答メッセージを前記他の電話端末に送出する応答手段と、を備えることを特徴とする電話端末。
【請求項３】
前記挿入手段は、
前記記憶手段に記憶された挨拶メッセージを前記他の電話端末に送出するとともに、該挨拶メッセージを音声信号として受話器を介して出力することを特徴とする請求項２記載の電話端末。
【請求項４】
挨拶メッセージの送出の有無を示す送出条件を記憶する条件記憶手段をさらに備え、
前記挿入手段は、前記発信手段が送出した発呼に対して前記他の電話端末が応答したことを示す応答通知を前記所定の交換機から受信した場合に、前記条件記憶手段の送出条件を参照し、該送出条件が送出することを示している場合には、前記記憶手段に記憶された挨拶メッセージを前記他の電話端末に送出することを特徴とする請求項２または３記載の電話端末。
【請求項５】
所定の交換機を介して他の電話端末と通信可能に接続される移動体端末であって、
受話器から呼び出し音として出力される複数の呼出情報を記憶する記憶手段と、
前記所定の交換機を介して前記他の電話端末に対して発呼を送出する発信手段と、
前記発信手段が前記発呼を送出した場合に、前記記憶手段に記憶された複数の呼出情報のうち予め設定された所定の条件に合致する呼出情報を呼び出し音として前記受話器を介して出力する呼出手段と、
を備えることを特徴とする移動体端末。
【請求項６】
前記呼出手段は、前記発信手段が送出した発呼に基づいて前記他の電話端末に対する呼び出しが行われていることを示す呼び出し通知を前記所定の交換機から受信した場合に、前記記憶手段に記憶された複数の呼出情報のうち所定の条件に合致する呼出情報を呼び出し音として前記受話器を介して出力することを特徴とする請求項５記載の移動体端末。
【請求項７】
前記呼出手段は、
前記発信手段が送出した発呼に対して前記他の電話端末が応答したことを示す応答通知を前記所定の交換機から受信した場合に、前記呼び出し音の出力を中止することを特徴とする請求項５または６記載の移動体端末。
【請求項８】
前記呼出情報と発呼先とをそれぞれ対応付けた管理テーブルをさらに備え、
前記呼出手段は、
前記発信手段が送出した発呼の発呼先に対応する呼出情報を前記管理テーブルから読み出して、この読み出した呼出情報を呼び出し音として前記受話器を介して出力することを特徴とする請求項５から７いずれか記載の移動体端末。
【請求項９】
通話が終了した後に出力される所定の出力情報を記憶する出力情報記憶手段と、
前記他の電話端末との間に接続された通話路を切断する切断手段と、
前記切断手段が前記通話路を切断した場合に、前記記憶手段に記憶された所定の出力情報を表示装置に出力する出力手段と、
をさらに備えることを特徴とする請求項５から８いずれか記載の移動体端末。
【請求項１０】
前記複数の移動体端末を収容する複数の交換機と、前記複数の移動体端末とそれぞれ対応付けられた通信情報を記憶する記憶手段を備える管理装置と、を備えた通信システムにおける通信方法であって、
前記複数の移動体端末のうち第１の移動体端末に対応する第１の交換機は、
前記第１の移動体端末から送出される第２の移動体端末あての発呼を受け付けると、前記第２の移動体端末に対応する第２の交換機に着呼を送出し、
前記管理装置と前記第１の移動体端末との間の通話路を接続し、
前記管理装置は、
前記第１の交換機によって第１の移動体端末との間の通話路が接続されると、前記第２の移動体端末に対応付けられた通信情報のうち呼び出し音として設定された呼出情報を、前記接続された通話路を介して前記第１の移動体端末に送出し、前記第１の移動体端末の受話器から該呼出情報が呼び出し音として出力されるように制御することを特徴とする通信方法。
【請求項１１】
前記第１の交換機は、
前記第１の移動体端末からの発呼に前記第２の移動体端末が応答した旨を前記第２の交換機から受信すると、前記管理装置と前記第１の移動体端末との間に接続された通話路を解除し、前記第２の交換機と前記第１の移動体端末との間の通話路を接続することを特徴とする請求項１０記載の通信方法。
【請求項１２】
前記第１の交換機は、
前記第１の移動体端末から送出される切断要求を受け付けると、前記第２の交換機と前記第１の移動体端末との間に接続された通話路を解除し、前記管理装置と前記第１の移動体端末との間の通話路を接続し、
前記管理装置は、
前記第２の移動体端末に対応付けられた通信情報のうち終了メッセージとして設定されたメッセージ情報を、前記第１の交換機によって接続された通話路を介して前記第１の移動体端末に送出し、前記第１の移動体端末の表示装置に出力されるように制御することを特徴とする請求項１０または１１記載の通信方法。
【発明の詳細な説明】
【０００１】
【発明の属する技術分野】
本発明は、電話端末装置に関し、特に、インターネット等の通信回線を介して所定の情報処理装置（サーバ）と接続可能に構成された電話端末装置に関するものである。
【０００２】
【従来の技術】
従来、いわゆる留守番電話機能を備えた携帯電話機が知られている。留守番電話機能は、着信に使用者が応答しなくても、自動的に応答して発呼元との間に通信回線を接続し、発呼元から送信されてくるメッセージを自機のメモリに記憶して、後でそのメモリに記憶したメッセージを再生するというものである。
【０００３】
このような留守番電話機能を備えた携帯電話機には、例えば、所定の条件発信者、時間、着信回数、発信者の位置といった所定の条件に応じて、再生する留守電応答メッセージの内容を変更するものがある。（例えば、特許文献１参照）。
【０００４】
また、近年、インターネットなどの通信技術が普及しており、これらの通信技術は携帯電話機にも適用されている。その結果、携帯電話機は多機能化し、例えばインターネットに接続する接続機能を備えた携帯電話機や、電子メールの送受信の機能を備えた携帯電話機が登場している。これによれば、ユーザは、携帯電話機を操作することにより、所望のサーバから画像データを受信して画面上に表示させたり、人気の高い曲のメロディ（いわゆる着信メロディ）をダウンロードしてメモリに格納し着信時に再生させたりすることができる。
【０００５】
【特許文献１】
特開２００１−３２６７１８号公報
【０００６】
【発明が解決しようとする課題】
しかしながら、上記従来技術においては、携帯電話機を利用するユーザの多様な要求を満たすという点については、十分な考慮がなされていなかった。
【０００７】
例えば、携帯電話機を仕事において重要なコミュニケーションツールであると認識するユーザの中には、携帯電話機の各種機能を自分の所望する内容に設定することで、携帯電話機が持つコミュニケーションツールとしての利便性を、より向上させたいという要求がある。また、携帯電話機を日常生活における重要なコミュニケーションツールであると認識するユーザの中には、携帯電話機の各種機能を自分の趣味や嗜好にあった内容に設定することでより自分の個性に合った携帯電話機に改良したいという要求がある。
【０００８】
しかしながら、上述した従来技術は、携帯電話機の着信にユーザが応答しない場合に流れる留守電応答メッセージや、携帯電話機が着信した際に流れる着信メロディなど、携帯電話機においてユーザが自由に設定変更できるメッセージの機能や内容が限られていたため、このようなユーザの要求を十分に満たすものではなかった。
【０００９】
また、従来の携帯電話機では、発信者と着信者は、両者の間で通話が成立した場合に、携帯電話機を用いてコミュニケーションを図ることができるが、通話が成立していない状態、例えば、通話が開始される前の状態や通話が切断された後の状態では、コミュニケーションを図ることができなかった。よって、例えば、発信者が発信中（着信者を呼出中）に、所定の事情により発信を中止してしまった場合には、着信者は、せっかく発信者から着信要求を受けていたにもかかわらず、発信者に対して何の応答もすることができずに終わってしまい、発信者に対して接触する機会を失ってしまうことになる。
【００１０】
以上の点を鑑み、本願発明の課題は、電話端末装置が備える各種機能をユーザが所望の内容に設定変更できる電話端末装置または通信方法を提供することにより、電話端末装置のコミュニケーションツールとしての利便性を向上させることにある。
【００１１】
また、本願発明の他の課題は、発信者と着信者との間で通話が成立していない状態であっても、発信者または着信者が相手に対して所望のメッセージを伝達することができる電話端末装置または通信方法を提供することにより、電話端末装置のコミュニケーションツールとしての利便性を向上させることにある。
【００１２】
【課題を解決するための手段】
上記課題を解決するための本発明は、以下のように構成される。具体的に、本発明に係る電話端末は、所定の交換機を介して他の電話端末と通信可能に接続される電話端末であって、他の電話端末宛ての複数の通信情報（メッセージ情報）を記憶する記憶手段と、前記所定の交換機を介して前記他の電話端末に対して発呼を送出する発信手段と、前記他の電話端末から前記所定の交換機を介して送出される発呼を着信する着信手段と、前記発信手段が前記発呼を送出した場合または前記着信手段が前記発呼を着信した場合に、前記記憶手段に記憶された複数の通信情報のうち予め設定された所定の条件に合致する通信情報を、前記所定の交換機によって接続された通話路を介して前記他の電話端末に送出する送出手段と、を備えることを特徴とする。
【００１３】
また、本発明に係る電話端末は、所定の交換機を介して他の電話端末と通信可能に接続される電話端末であって、他の電話端末宛ての複数の通信情報を記憶する記憶手段と、前記所定の交換機を介して前記他の電話端末に対して発呼を送出する発信手段と、前記他の電話端末から前記所定の交換機を介して送出される発呼を着信する着信手段と、前記記憶手段に記憶された通信情報を前記所定の交換機によって接続された通話路を介して前記他の電話端末に送出する送出手段と、を備え、前記記憶手段は、通信情報として発信者に対する応答メッセージと着信者に対する挨拶メッセージをそれぞれ記憶し、前記送出手段は、前記発信手段が前記発呼を送出した場合に、前記記憶手段に記憶された挨拶メッセージを前記他の電話端末に送出する挿入手段と、前記着信手段が前記発呼を着信した場合に、前記記憶手段に記憶された応答メッセージを前記他の電話端末に送出する応答手段と、を備えることを特徴とする。
【００１４】
前記挿入手段は、前記記憶手段に記憶された挨拶メッセージを前記他の電話端末に送出するとともに、該挨拶メッセージを音声信号として受話器を介して出力することを特徴とする。
【００１５】
また、前記電話装置は、挨拶メッセージの送出の有無を示す送出条件を記憶する条件記憶手段をさらに備え、前記挿入手段は、前記発信手段が送出した発呼に対して前記他の電話端末が応答したことを示す応答通知を前記所定の交換機から受信した場合に、前記条件記憶手段の送出条件を参照し、該送出条件が送出することを示している場合には、前記記憶手段に記憶された挨拶メッセージを前記他の電話端末に送出することを特徴とする。
【００１６】
また、本発明にかかる移動体端末は、所定の交換機を介して他の電話端末と通信可能に接続される移動体端末であって、受話器から呼び出し音として出力される複数の呼出情報を記憶する記憶手段と、前記所定の交換機を介して前記他の電話端末に対して発呼を送出する発信手段と、前記発信手段が前記発呼を送出した場合に、前記記憶手段に記憶された複数の呼出情報のうち予め設定された所定の条件に合致する呼出情報を呼び出し音として前記受話器を介して出力する呼出手段と、を備えることを特徴とする。
【００１７】
前記呼出手段は、前記発信手段が送出した発呼に基づいて前記他の電話端末に対する呼び出しが行われていることを示す呼び出し通知を前記所定の交換機から受信した場合に、前記記憶手段に記憶された複数の呼出情報のうち所定の条件に合致する呼出情報を呼び出し音として前記受話器を介して出力することを特徴とする。
【００１８】
前記呼出手段は、前記発信手段が送出した発呼に対して前記他の電話端末が応答したことを示す応答通知を前記所定の交換機から受信した場合に、前記呼び出し音の出力を中止することを特徴とする。
【００１９】
前記呼出情報と発呼先とをそれぞれ対応付けた管理テーブルをさらに備え、前記呼出手段は、前記発信手段が送出した発呼の発呼先に対応する呼出情報を前記管理テーブルから読み出して、この読み出した呼出情報を呼び出し音として前記受話器を介して出力することを特徴とする。
【００２０】
さらに、前記移動体端末は、通話が終了した後に出力される所定の出力情報を記憶する出力情報記憶手段と、前記他の電話端末との間に接続された通話路を切断する切断手段と、前記切断手段が前記通話路を切断した場合に、前記記憶手段に記憶された所定の出力情報を表示装置に出力する出力手段と、をさらに備えることを特徴とする。
【００２１】
また、本発明は以下のような通信システムにおける通信方法である。具体的には、本発明に係る通信方法は、前記複数の移動体端末を収容する複数の交換機と、前記複数の移動体端末とそれぞれ対応付けられた通信情報を記憶する記憶手段を備える管理装置と、を備えた通信システムにおける通信方法であって、前記複数の移動体端末のうち第１の移動体端末に対応する第１の交換機は、前記第１の移動体端末から送出される第２の移動体端末あての発呼を受け付けると、前記第２の移動体端末に対応する第２の交換機に着呼を送出し、前記管理装置と前記第１の移動体端末との間の通話路を接続し、前記管理装置は、前記第１の交換機によって第１の移動体端末との間の通話路が接続されると、前記第２の移動体端末に対応付けられた通信情報のうち呼び出し音として設定された呼出情報を、前記接続された通話路を介して前記第１の移動体端末に送出し、前記第１の移動体端末の受話器から該呼出情報が呼び出し音として出力されるように制御することを特徴とする通信方法。
【００２２】
前記通信方法における前記第１の交換機は、前記第１の移動体端末からの発呼に前記第２の移動体端末が応答した旨を前記第２の交換機から受信すると、前記管理装置と前記第１の移動体端末との間に接続された通話路を解除し、前記第２の交換機と前記第１の移動体端末との間の通話路を接続することを特徴とする。
【００２３】
前記通信方法における前記第１の交換機は、前記第１の移動体端末から送出される切断要求を受け付けると、前記第２の交換機と前記第１の移動体端末との間に接続された通話路を解除し、前記管理装置と前記第１の移動体端末との間の通話路を接続し、前記管理装置は、前記第２の移動体端末に対応付けられた通信情報のうち終了メッセージとして設定されたメッセージ情報を、前記第１の交換機によって接続された通話路を介して前記第１の移動体端末に送出し、前記第１の移動体端末の表示装置に出力されるように制御することを特徴とする。
【００２４】
なお、本明細書において、物の発明は方法の発明として把握することができ、方法の発明は物の発明として把握することができる。また、上記発明は、コンピュータに所定の機能を実現させるプログラムを記録した記録媒体またはプログラム製品としても成立する。なお、前記記録媒体とは、例えば、ハードディスク（ＨＤ）、ＤＶＤ−ＲＡＭ、フレキシブルディスク（ＦＤ）やＣＤ−ＲＯＭ等のほかに、ＲＡＭやＲＯＭ等のメモリを含む。また、前記コンピュータとは、例えば、ＣＰＵやＭＰＵといったいわゆる中央処理装置がプログラムを解釈することで所定の処理を行う、いわゆるマイクロコンピュータ等をも含む。
【００２５】
また、本明細書において、手段とは、単に物理的手段を意味するものではなく、その手段が有する機能をソフトウェアによって実現する場合やハードウェア回路によって実現する場合も含む。また、１つの手段が有する機能が２つ以上の物理的手段により実現されても、２つ以上の手段の機能が１つの物理的手段により実現されても良い。
【００２６】
さらにまた、本明細書における手段は、ハードウェア、ソフトウェアまたはハードウェアおよびソフトウェアの組み合わせにより実現可能である。ハードウェアおよびソフトウェアの組み合わせによる実行は、例えば、所定のプログラムを有するコンピュータ・システムにおける実行が該当する。そして、１つの手段が有する機能が２つ以上のハードウェア、ソフトウェアまたはハードウェアおよびソフトウェアの組み合わせにより実現されても、２つ以上の手段の機能が１つのハードウェア、ソフトウェアまたはハードウェアおよびソフトウェアの組み合わせにより実現されても良い。
【００２７】
【発明の実施の形態】
次に、本発明の実施の形態について、図面を参照しつつ説明する。
【００２８】
［第１の実施形態］
本実施形態は、電話端末装置においてユーザが自由に設定変更できるメッセージの機能や内容を多様化した点を特徴とする。具体的には、電話端末装置は、外部のサーバに格納されているメッセージ情報を取得し、この取得したメッセージ情報をそのメッセージの種類に応じて利用する。ここで、サーバに格納されているメッセージ情報は、音声情報のみならず、音源情報、画像情報（静止画、動画）や文字情報も含まれることが好ましく、電話端末装置は、典型的には携帯電話機が相当する。また、メッセージの種類は、典型的には、留守番電話機能にて使用される応答メッセージ、通話中に使用される保留メッセージ、あるいは通話開始時に使用される挨拶メッセージが該当するが、本発明はこれに限られず、電話端末装置の機能に応じて他の種類のメッセージを適宜採用することが可能である。
【００２９】
［全体システムの概要］
図１は、本実施形態に係る携帯電話機を実現する全体システムを説明するための図である。同図に示すように、携帯電話機１０はデジタル無線網４０に接続されており、メッセージ提供サーバ２０は、通信網としてのインターネット５０に接続されている。携帯電話機１０とメッセージ提供サーバ２０は、ゲートウェイ３０を介して通信可能に構成され、両者の間の通信は、典型的には、携帯電話用に仕様を改良したＨＴＴＰプロトコルやＨＴＭＬ言語を用いて行われる。
【００３０】
携帯電話機１０は、メッセージ提供サーバ２０から送信される携帯端末対応Ｗｅｂページを表示するための液晶画面や、ユーザが操作するための各種ボタンを備えている。また、携帯電話機１０は、デジタル無線網４０を介してデータの送受信を行うためのパケット処理部（図示せず）と、後述する携帯端末対応Ｗｅｂページを閲覧するためのブラウザプログラムとを備えている。なお、携帯電話機１０は、メッセージ提供サーバ２０からダウンロードしたプログラムを実行するためのプログラム実行環境を備え、例えば、上述したＪａｖａ（登録商標）を動作させるための実行環境であるＫＶＭ（Ｋ  Ｖｉｒｔｕａｌ  Ｍａｃｈｉｎｅ）を搭載するように構成してもよい。
【００３１】
メッセージ提供サーバ２０は、図示しないサーバプログラムを備えており、留守電サービスを利用するユーザの携帯電話機１０から送られる例えば携帯端末対応ＨＴＴＰによる要求を受け付けて、その要求に対応した処理を行う。典型的には、サーバプログラムは、所定のメッセージのリストに対する取得要求を受け付けた場合には、メッセージ管理ＤＢ２０１にアクセスして該当するメッセージリストを取得し、これをユーザの携帯電話機１０に送信する。また、所定のメッセージのデータ（メッセージ情報）に対する取得要求を受け付けた場合には、メッセージ管理ＤＢ２０１にアクセスして該当するメッセージのデータを取得し、これをユーザの携帯電話機１０に送信する。
【００３２】
ゲートウェイ３０は、インターネット５０とデジタル無線網４０とを相互接続するためのものであり、例えば、携帯電話機１０からデジタル無線網４０を介して受信した情報を、プロトコル変換して、インターネット５０を介してメッセージ提供サーバ２０に送信する。
【００３３】
以上のように構成される全体システムにおいて、本実施形態に係る携帯電話機１０の概略的な動作の流れを説明する。
【００３４】
携帯電話機１０は、ユーザの操作に従いメッセージ提供サーバ２０にアクセスし、複数種類のメッセージ中から所望の種類のメッセージ（例えば、応答メッセージ）のリストを取得すると、これを画面に表示する。ユーザが、携帯電話機１０の画面に表示された応答メッセージのリストから所望の応答メッセージを選択すると、携帯電話機１０は、選択された応答メッセージのデータの取得要求をメッセージ提供サーバ２０に送信し、これを取得する。取得した応答メッセージは、携帯電話機１０内のメモリに留守番電話機能における応答メッセージとして記憶される。同様に、携帯電話機１０は、ユーザの操作に従いメッセージ提供サーバ２０にアクセスし、他の種類のメッセージ（保留メッセージ、挨拶メッセージ）のデータを取得すると、これを携帯電話機１０内のメモリに、種類に応じて記憶する。
【００３５】
一方、携帯電話機１０が、他の携帯電話機１０からの着呼を受けると、メッセージ提供サーバ２０から取得した応答メッセージを他の携帯電話機１０へ送出する。また、携帯電話機１０は、他の携帯電話機１０と通話中にユーザにより保留ボタンが押されると、メッセージ提供サーバ２０から取得した保留メッセージを他の携帯電話機１０へ送出する。また、携帯電話機１０は、他の携帯電話機１０へ発信した際に、ユーザにより挨拶メッセージの挿入が指定されている場合には、メッセージ提供サーバ２０から取得した挨拶メッセージを、ユーザの通話に先立ち他の携帯電話機１０へ送出する。
【００３６】
このような携帯電話機１０によれば、ユーザは、メッセージ提供サーバ２０から多種類のメッセージを取得し、自機のメッセージとして利用することができるようになる。例えば、応答メッセージをタレントＡのメッセージに設定すれば、ユーザが通話に出なくとも、ユーザがタレントＡのファンであることが発信者に伝わる。一方、挨拶メッセージを応答メッセージと同じ分野の異なるタレント（例えば、応答メッセージが野球選手Ｂである場合に野球選手Ｃ）に設定すれば、通話に先立ち、ユーザが野球好きであることを発信者に伝えることができる。従って、メッセージを介してユーザの趣味や現在の状態などを発信者に伝達することができるようになるので、携帯電話機のコミュニケーションツールとしての機能をより向上させることが可能になる。
【００３７】
［携帯電話機の機能構成図］
図２は、本実施形態に係る携帯電話機の機能を示す機能構成図である。同図では、携帯電話機が備える機能を機能実現手段として記載している。同図に示すように、携帯電話機１０は、携帯端末対応Ｗｅｂページを閲覧するためのＷｅｂブラウザ１０１、Ｗｅｂブラウザ１０１を介してメッセージ提供サーバ２０から取得したメッセージ情報をメッセージ記憶手段１１０に登録するメッセージ登録手段１０２を備えている。
【００３８】
また、携帯電話機１０は、他の電話端末装置からの着信を受け付ける着信手段１０４と、着信を受けた場合に、所定の記憶領域に格納された着信条件（着信モードフラグ）の内容に基づいて自機が通常の通話モードであるか留守電モードであるかを判定する着信モード判定手段１０５と、着信モード判定手段１０５の判定結果が通話モードである場合に、ユーザの操作に応じて携帯電話機１０と他の電話端末装置との間の通話路を接続し、発信者と着信者間の通話を制御する通話手段と、ユーザの操作に応じて携帯電話機１０と他の電話端末装置との間の通話路を切断する切断手段１０７を備えている。
【００３９】
また、携帯電話機１０は、着信モード判定手段１０５の判定結果が留守電モードである場合に、携帯電話機１０と他の電話端末装置との間の通話路を接続し、発信者へ応答する応答手段１０８と、応答手段１０８の応答の後、他の電話端末装置から送られる発信者からのメッセージを録音する録音手段１０９を備えている。具体的には、応答手段１０８は、所定の条件に合致する応答メッセージをメッセージ記憶手段から読み出して、これを発信者側の他の電話端末装置へ送出する。また、録音手段１０９は、所定の条件下で受信した発信者からのメッセージを伝言メッセージとしてメッセージ記憶手段１１０に登録する。
【００４０】
また、携帯電話機１０は、各種メッセージ情報（応答メッセージ、挨拶メッセージ、保留メッセージ、伝言メッセージなど）を記憶するメッセージ記憶手段１１０と、ユーザの操作に応じて、メッセージ記憶手段から発信者の伝言メッセージを読み出し、これを出力する再生手段１１２を備えている。なお、メッセージ記憶手段の具体的な構成は後述する。
【００４１】
また、携帯電話機１０は、ユーザの操作に応じて他の電話端末装置へ発信する発信手段１１３と、所定の記憶領域に格納された発信条件（発信モードフラグ）の内容に基づいて自機が通常の通話モードであるか挨拶モードであるかを判定する発信モード判定手段１１４と、メッセージ記憶手段１１０に記憶された挨拶メッセージを着信側の電話端末装置へ送出するメッセージ挿入手段１１５と、を備えている。メッセージ挿入手段１１５は、発信モード判定手段１１４の判定結果が挨拶モードである場合であって、着信側の電話端末装置と通話路が確立した後、ユーザの操作に応じて、メッセージ記憶手段１１０から挨拶メッセージを読み出し、これを送出し、その旨を通話手段１０６に通知する。
【００４２】
なお、図示してはいないが、携帯電話機１０は、携帯電話機１０の動作を制御するＣＰＵ、ＣＰＵにおいて実行されるプログラムなどを予め記憶するＲＯＭ、ＣＰＵがプログラム実行中に使用する作業領域として主に利用するＲＡＭ、応答メッセージ等を記憶する不揮発性メモリとしてのＥＥＰＲＯＭ（メッセージ記憶手段１１０が該当）がバスを介して接続された制御手段を備えている。ＣＰＵは、ＲＯＭに格納されているプログラムを実行することにより、後述するメッセージ登録処理など各種処理を実行する。また、携帯電話機１０は、所定の無線基地局および交換機を介して他の電話端末装置との間で通信を行うために必要な受信系、送信系を備え、具体的には、デジタルデータとして受信された音声信号やＥＥＰＲＯＭにデジタルデータとして記憶されたメッセージ情報がアナログ信号に変換された音声信号を外部に音声出力する受話器としてスピーカ、音声入力を音声信号に変換する送話器としてのマイクロホン、入力手段としてのキー操作部、表示手段としてのＬＣＤ、着信を振動で知らせるバイブレータなどを備えている。
【００４３】
［メッセージ提供サーバの機能構成図］
図３は、本実施形態に係るメッセージ提供サーバの機能を示す機能構成図である。同図に示すように、メッセージ提供サーバ２０は、各種メッセージ情報（応答メッセージ、挨拶メッセージ、保留メッセージなど）を記憶する記憶手段としてのメッセージデーターベース（以下、「メッセージＤＢ」という。）２０１と、携帯電話機１０から送られる所定のリクエストを受け付けるリクエスト受付手段２０２と、受け付けたリクエストに従ってメッセージ管理ＤＢ２０１から所定のメッセージ等を検索するメッセージ検索手段２０３と、検索したメッセージ等を検索結果として携帯電話機１０へ送信する検索結果送信手段２０４と、を備えている。
【００４４】
［データ構成］
図４は、メッセージ提供サーバ２０が備えるメッセージ管理ＤＢ２０１のデータ構造の一例を示す図である。メッセージ管理ＤＢ２０１は、携帯電話機１０が使用可能な各種メッセージに関するデータから構成され、例えば、メッセージを一意的に特定するメッセージＩＤ４１、メッセージの種類を識別するための識別ＩＤ４２、メッセージデータを構成する音声データ４３、音源データ４７及び画像データ４８、メッセージの内容４４、メッセージの利用期限４５、メッセージの利用限度端末４６等を含んでいる。
【００４５】
各レコードは、メッセージＩＤ４１によって一意的に特定可能に構成されている。識別ＩＤ４２には、メッセージの種類を識別するための値を示す情報が格納される。本実施形態では、応答メッセージの場合は１、挨拶メッセージの場合は２、保留メッセージの場合は３が格納される。また、本実施形態では、音声データ４３には、携帯電話機１０にて再生出力可能な形式で保存された音声データが格納されている。
【００４６】
音声データ４３には、様々な目的に応じた多様な内容の音声データが格納され、例えば、人気のあるタレントや野球選手等のメッセージ（例えば、「もしもし。Ａです。今シーズンも応援してくださいね！」）や、企業の宣伝広告（ＣＭ）を目的とするメッセージ（例えば、「はいもしもし、驚きました？Ｂです（タレント名）。電話をおつなぎしますので少々お待ちください。ところで私がいつも使っているＣ（商品名）はもう試して頂けました？とってもいいんですよ〜。あ、変わりますね。どうぞ〜」も」）、また、人気のある楽曲のメロディなどが該当する。また、音源データ４７には同様に携帯電話機１０にて再生出力可能な形式で保存された楽曲データが、画像データ４８には携帯電話機１０にて出力表示可能な形式で保存された静止画データや動画データが格納されている。なお、メッセージを構成するデータはこれらに限られず、文字データを含むように構成してもよい。また、本実施形態のメッセージデータは、音声データ４３、音源データ４７、画像データ４８を含む概念である。また、本実施形態では、メッセージには利用期限４５と利用限度端末４６とが設定されている。利用期限４５を設定することで、定番ものや流行ものを任意に指定することができるとともに、利用限度端末４６を設定することで、メッセージの希少価値を促すことができる。
【００４７】
図５は、携帯電話機１０が備えるメッセージ記憶手段のデータ構造の一例を示す図である。メッセージ記憶手段１１０には、各種メッセージデータと、各種メッセージを管理するためのメッセージ管理テーブルを備えている。メッセージ管理テーブルは、メッセージの属性ごとに振り分けられたメッセージデータをそれぞれ管理する。
【００４８】
図５（Ａ）は、応答メッセージを管理するテーブルであり、応答メッセージを示す識別ＩＤを備えた１または１以上のメッセージデータから構成され、例えば、応答メッセージＩＤ５１、応答メッセージの設定条件５２、応答メッセージデータの格納領域を示すポインタ５３等を含んでいる。設定条件５２には、応答メッセージの出力条件に関する設定が格納され、本実施形態では、通常使用する応答メッセージであるか否かを示す値が格納される。ここでは、通常フラグがＯＮである応答メッセージが出力される（メッセージＩＤ＝０００２）。応答メッセージの出力に関する設定条件はこれに限られず、任意に設定することが可能であり、例えば、時間帯や発信者の番号に応じて出力する応答メッセージを決定するように構成してもよい。
【００４９】
図５（Ｂ）は、挨拶メッセージを管理するテーブルであり、挨拶メッセージを示す識別ＩＤを備えた１または１以上のメッセージデータから構成され、例えば、挨拶メッセージＩＤ５４、挨拶メッセージの設定条件５５、挨拶メッセージデータの格納領域を示すポインタ５６等を含んでいる。設定条件５５については、応答メッセージの設定条件５２と同様の構成である。
【００５０】
図５（Ｃ）は、保留メッセージを管理するテーブルであり、保留メッセージを示す識別ＩＤを備えた１または１以上のメッセージデータから構成され、例えば、保留メッセージＩＤ５７、保留メッセージの設定条件５８、保留メッセージデータの格納領域を示すポインタ５９等を含んでいる。設定条件５８については、応答メッセージの設定条件５２と同様の構成である。
【００５１】
なお、携帯電話機１０は、伝言メッセージを管理するテーブルも備えているが、ここでは説明を省略する。
【００５２】
［メッセージ登録処理の流れ］
次に、携帯電話機１０におけるメッセージ登録処理の流れを説明する。ここでは、一例として、応答メッセージを登録する場合について説明する。
【００５３】
図６は、携帯電話機１０におけるメッセージ登録処理の流れを説明するためのフローチャートである。すなわち、携帯電話機１０（ＣＰＵ）は、図示しない表示画面よりメッセージ提供サーバ２０の位置情報が入力されると、入力された位置情報に従いメッセージ提供サーバ２０にアクセスし（ＳＴＥＰ６０１）、メッセージ提供サーバ２０から応答メッセージのリストを取得して、これを画面に表示する（ＳＴＥＰ６０２）。
【００５４】
図７及び図８は、携帯電話機１０の画面に表示された画面の一例を示す図である。同７は、メッセージ提供サーバ２０のＴＯＰ画面の一例を示している。ここで、ユーザが、「留守電応答用メッセージ」を選択して「ダウンロード画面へ」を選択すると、図８に示す画面に遷移する。
【００５５】
図８（Ａ）は、応答メッセージのリストを表示しており、タレントや野球選手が作成した応答メッセージが提供されていることがわかる。ここで、ユーザが、所望の応答メッセージの「メッセージをダウンロード」を選択すると、図８（Ｂ）に示す応答メッセージのダウンロード画面に遷移する。図８（Ｂ）のダウンロード画面は、ユーザが、ダウンロード対象として、メッセージ、ＢＧＭ、画像などを任意に選択することができるように構成されている。ここで、ユーザが、「ＢＧＭを添付」選択し、「メッセージをダウンロードする！」を選択すると、携帯電話機１０は、ユーザが「ＢＧＭを添付」を選択した選択情報と、ユーザが選択した応答メッセージの応答メッセージＩＤとを含むメッセージの取得要求をメッセージ提供サーバ２０に送信する。
【００５６】
図６に戻り、携帯電話機１０は、ユーザにより選択されたメッセージの取得要求をメッセージ提供サーバ２０に送信する（ＳＴＥＰ６０３）。メッセージ提供サーバ２０は、メッセージの取得要求からメッセージＩＤを抽出してメッセージ管理ＤＢ２０１から該当するメッセージデータを特定するとともに、選択情報に従い音源データを読み出して、メッセージデータとともに送り返す。携帯電話機１０は、メッセージに関するデータ（メッセージＩＤ、識別ＩＤ、メッセージデータ、音源データなど）を取得すると、これをメッセージ記憶手段１１０に記憶する（ＳＴＥＰ６０４）。具体的には、携帯電話機１０は、識別ＩＤからメッセージが「応答用」であることを判別し、応答用メッセージテーブルにメッセージＩＤ等のデータを格納し、取得したメッセージの通常フラグをＯＮに設定する（ＳＴＥＰ６０５）。なお、本実施形態では、格納したメッセージを最新のものとして、当該メッセージの通常フラグを自動的にＯＮに設定することとしたが、どのメッセージを通常使用とするか（どのメッセージの通常フラグをＯＮに設定するか）は、別途、図示しない設定画面にてユーザが任意に変更することが可能である。
【００５７】
［留守番電話モードにおける応答及び録音処理の流れ］
図９は、携帯電話機１０における留守番電話モードにおける応答及び録音処理の流れを説明するためのフローチャートである。まず、携帯電話機（ＣＰＵ）１０は、着信を受けたか否かを判断し（ＳＴＥＰ９０１）、着信を受けた場合には、着信設定が留守電モードであるか否かを判断する（ＳＴＥＰ９０２）。ここでは、着信設定は、所定の記憶領域に着信フラグとして格納されている。着信フラグは、着信時の携帯電話機１０のモードを識別するための識別情報であり、少なくとも通話モードか留守電モードかを示す値が格納される。そして、携帯電話機１０は、所定の記憶領域から読み出した着信フラグに従って留守電モードであると判断した場合には（ＳＴＥＰ９０２のＹｅｓ）、発信者側の電話端末装置と通話路を接続するとともに、応答メッセージ管理テーブルから条件に合致する応答メッセージを選択する（ＳＴＥＰ９０４）。本実施の形態では、「通常フラグがＯＮであること」が条件となっている。よって、携帯電話機１０は、応答メッセージ管理テーブルから通常フラグの値がＯＮであるものを特定し、特定した応答メッセージを発信者側の電話端末装置へ送出する（ＳＴＥＰ９０５）。ここでは、図８（Ｂ）の画面にて選択した野球選手による「はい、今電話にでられません。Ｄが承りますので、２０秒以内にメッセージをどうぞ！」という応答メッセージが、所定のＢＧＭとともに送出される。
【００５８】
携帯電話機１０は、応答メッセージを出力後、メッセージの録音が可能な状態であることを発信者に通知し（例えば、「ピー」という音）、発信者からのメッセージを受け取ると、これを伝言メッセージとしてメッセージ記憶手段１１０に記憶する。携帯電話機１０は、正常に録音が完了した場合には（ＳＴＥＰ９０７；ＹＥＳ）、発信者側の電話端末装置と通話路を切断する。一方、録音が正常に完了しなかった場合には、所定のエラー処理を実行する（ＳＴＥＰ９０８）。
【００５９】
なお、ＳＴＥＰ９０２にて携帯電話機１０が、所定の記憶領域から読み出した着信フラグに従って通話モードであると判断した場合には（ＳＴＥＰ９０２のＮｏ）、通常の着信処理に移行する（ＳＴＥＰ９０３）。
【００６０】
［伝言メッセージの再生処理の流れ］
図１０は、携帯電話機１０における伝言メッセージの再生処理の流れを説明するためのフローチャートである。まず、携帯電話機（ＣＰＵ）１０は、ユーザから再生指示が入力されたか否かを判断する（ＳＴＥＰ１００１）。再生指示が入力された場合には、伝言メッセージ管理テーブルから伝言メッセージを特定する（ＳＴＥＰ１００２）。そして、特定した伝言メッセージを再生し（ＳＴＥＰ１００３）、ユーザから消去指示を受け付けた場合には、再生した伝言メッセージをメッセージ記憶手段１１０から消去する（ＳＴＥＰ１００５）。そして、伝言メッセージ管理テーブルを更新する（ＳＴＥＰ１００６）。
【００６１】
［発信処理（挨拶メッセージの挿入）の流れ］
図１１は、携帯電話機１０における発信処理（挨拶メッセージの挿入）の流れを説明するためのフローチャートである。まず、携帯電話機（ＣＰＵ）１０は、例えばユーザにより発信ボタンが選択されるなど発信指示があったか否かを判断し（ＳＴＥＰ１１０１）、発信指示があった場合には、指定された着信側の電話端末装置へ通話路の確立を要求する。
【００６２】
携帯電話機１０は、通話路が確立した場合には、発信設定が挿入モードであるか否かを判断する（ＳＴＥＰ１１０２）。ここでは、発信設定は、所定の記憶領域に発信フラグとして格納されている。発信フラグは、発信時の携帯電話機１０のモードを識別するための識別情報であり、少なくとも通話モードか発信モードかを示す値が格納される。そして、携帯電話機１０は、所定の記憶領域から読み出した発信フラグに従って挿入モードであると判断した場合には（ＳＴＥＰ１１０２のＹｅｓ）、挨拶メッセージ管理テーブルから所定の条件に合致する挨拶メッセージを特定する（ＳＴＥＰ１１０４）。本実施の形態では、「通常フラグがＯＮであること」が条件となっている。
【００６３】
よって、携帯電話機１０は、挨拶メッセージを管理するテーブルから通常フラグの値がＯＮであるものを特定し、特定した挨拶メッセージを発信者側の電話端末装置へ送出する（ＳＴＥＰ１１０５）。例えば、応答メッセージと同じ野球選手による「もしもし。Ｅです。今シーズンも応援してくださいね！」という挨拶メッセージが流れることになる。また、携帯電話機１０が、音声情報と動画情報を送信する機能を備えている場合には、挨拶メッセージとメッセージを話す野球選手の画像情報などを一緒に送信してもよい。また、設定によっては、「はいもしもし、驚きました？Ａです（タレント名）。電話をおつなぎしますので少々お待ちください。ところで私がいつも使っているＦ（商品名）はもう試して頂けました？とってもいいんですよ〜。あ、変わりますね。どうぞ〜」という企業のＣＭや、所定の楽曲のメロディのみが流れるので、ＣＭで宣伝する商品の画像情報や楽曲を歌う歌手の画像情報を、挨拶メッセージのメッセージデータと関連づけて送信することもできる。
【００６４】
なお、発信設定が挿入モードである場合には、携帯電話機１０は、挨拶メッセージを着信側の電話端末装置に送信するとともに、自機１０の出力手段（スピーカ）にも出力する。これによれば、携帯電話機１０のユーザは、挨拶メッセージが着信側の電話端末装置に送信されている様子を把握することができるので、挨拶メッセージが終了したタイミングで、相手との会話を開始することができる。
【００６５】
携帯電話機１０は、挨拶メッセージを送信した後、通常の通話処理へ移行する（ＳＴＥＰ１１０６）。また、携帯電話機１０は、所定の記憶領域から読み出した発信フラグに従って挿入モードでないと判断した場合には（ＳＴＥＰ１１０２のＮｏ）、そのまま通常の通話処理へ移行する。
【００６６】
携帯電話機１０は、例えばユーザにより終了ボタンが選択されるなど通話の終了指示があったか否かを判断し（ＳＴＥＰ１１０７）、通話の終了指示があった場合には、着信側の電話端末装置と通話路を切断する（ＳＴＥＰ１１０９）。
【００６７】
なお、上記通話処理中に、例えばユーザにより保留ボタンが選択されるなど保留の指示があった場合には、携帯電話機１０は、保留メッセージ管理テーブルから所定の条件に合致する保留メッセージを特定する。本実施の形態では、「通常フラグがＯＮであること」が条件となっている。よって、携帯電話機１０は、保留メッセージを管理するテーブルから通常フラグの値がＯＮであるものを特定し、特定した保留メッセージを発信者側の電話端末装置へ送出する。例えば、応答メッセージと同じ野球選手による「Ａの好きなＢＧＭを流しますので、電話を切らず、その状態でしばらくお待ちください。」という保留メッセージの後、ＢＧＭが流れる。その後、例えばユーザにより保留ボタンが解除されるなど保留解除が指示された場合には、通常の通話処理へ移行する。
【００６８】
以上のように、本実施形態によれば、メッセージ提供サーバ２０が取得した性質の異なるメッセージを携帯電話機１０にて登録することとしたので、ユーザは、携帯電話機１０に予め設定されているメッセージを所望のメッセージに変更することが可能になる。
【００６９】
また、本実施形態によれば、電話端末装置においてユーザが自由に設定変更できるメッセージの機能や内容が多様化されているので、携帯電話機が持つコミュニケーションツールとしての利便性を、より向上することが可能になる。
【００７０】
また、通話をする相手側としても、タレントやスポーツ選手などのメッセージを聞くことができるので、楽しみながら通話をすることができ、携帯電話機を個性的で娯楽性の高いコミュニケーションツールとして提供することが可能になる。
【００７１】
［第２の実施形態］
本実施形態は、上記第１の実施形態の応用である。第２の実施形態では、携帯電話機１０が、メッセージ提供サーバ２０から取得した自動更新プログラムを実行することにより、メッセージ提供サーバ２０から自動的にメッセージを取得し、メッセージ記憶手段のメッセージを更新する場合について説明する。
【００７２】
図１を用いて、本実施形態に係る携帯電話機の主な動作の流れについて説明する。前提として、メッセージ提供サーバ２０は、メッセージ自動更新プログラムを備えている。これは、携帯電話機１０が実行可能なプログラム言語によって作成されたアプリケーション・プログラムであり、例えば、携帯端末対応Ｊａｖａ（登録商標）によって作成される。メッセージ提供サーバ２０は、メッセージ自動更新プログラムを所定のメッセージと一緒にまたは別々に、携帯電話機１０に送信することができる。
【００７３】
携帯電話機１０は、ユーザの操作に従いメッセージ提供サーバ２０にメッセージ自動更新プログラムに対する取得要求を送信すると、メッセージ提供サーバ２０は、メッセージ自動更新プログラムを送り返す。携帯電話機１０は、受信したメッセージ自動更新プログラムを所定の記憶領域に格納する。メッセージ自動更新プログラムは、携帯電話機１０において起動されると、携帯電話機１０は、自動的にメッセージ提供サーバ２０にアクセスし、所定の設定条件に合致するメッセージを取得し、この取得したメッセージでメッセージ記憶手段を更新する。
【００７４】
以上によれば、ユーザは、自らメッセージ提供サーバ２０にアクセスすることなく、最新のメッセージを取得することができるようになる。
【００７５】
図１２は、本実施形態に係る携帯電話機の機能を示す機能構成図である。なお、上記各実施形態と同じ構成要素ないしは機能実現手段には同じ符号を付しているとともに、所定の機能実現手段については記載を省略している。同図に示すように、携帯電話機１０は、新たにメッセージ更新手段１１５を備えている。メッセージ更新手段１１５は、メッセージ自動更新処理に関する各種設定を受け付けるとともに、この設定に従ってメッセージ自動更新プログラムを起動してメッセージ提供サーバ２０にアクセスし、所定の設定条件に合致するメッセージを取得し、この取得したメッセージでメッセージ記憶手段を更新する。
【００７６】
図１３は、携帯電話機１０の画面に表示された画面の一例を示す図である。ユーザは、同図に示す応答メッセージ自動更新設定画面において、自動更新の条件を設定する。例えば、自動更新の有無、更新単位、作成者などを指定することができる。作成者に「同じ」が指定されている場合には、応答メッセージとして格納されているメッセージの作成者と同じ作成者による最新のメッセージを、メッセージ提供サーバ２０から取得する。一方、作成者に「ランダム」が指定されている場合には、メッセージ提供サーバ２０側で任意に決定されるメッセージを取得する。なお、自動更新のタイミングや更新するメッセージの内容など、自動更新に関する設定条件は、図１３に示した条件に限られず、任意にこれを設定することができる。例えば、「人気度の高いメッセージを取得する」といった条件を設定してもよい。なお、当該画面にて設定された条件は、携帯電話機１０の所定の記憶領域に記憶される。
【００７７】
図１４は、携帯電話機１０におけるメッセージ自動更新処理の流れを説明するためのフローチャートである。まず、携帯電話機１０は、所定の記憶領域を参照し、設定条件が「自動更新する」旨であるか否かを判断する（ＳＴＥＰ１４０１）。自動更新する旨の設定である場合には、携帯電話機１０は、所定の記憶領域から取得した更新単位の情報と前回更新時の時刻情報、所定の計時手段から取得した現在の時刻情報とから、更新時であるか否かを判断する（ＳＴＥＰ１４０２）。
【００７８】
そして、携帯電話機１０は、更新時であると判断した場合には（ＳＴＥＰ１４０３）、メッセージ提供サーバ２０にアクセスし（ＳＴＥＰ１４０４）、携帯電話機識別情報、現在使用中のメッセージＩＤ、更新条件（同じ作成者である等）を含むメッセージ更新要求を送信する。なお、ここでいう携帯電話機識別情報は、電話番号ではなく、個々の携帯電話機自体を一意的に特定するために予め携帯電話機に与えられている情報を意味する。
【００７９】
メッセージ提供サーバ２０は、メッセージ更新要求を受け付けると、メッセージＩＤ、更新条件に基づいてメッセージ管理ＤＢ２０１を参照し、送信すべきメッセージが存在するか否かを判断する。そして、送信すべきメッセージが存在する場合には、該当するメッセージをその旨とともに送信し、送信すべきメッセージが存在しない場合には、その旨（存在しない旨）を送信する。
【００８０】
携帯電話機１０は、該当するメッセージがあったか否かを判断し（ＳＴＥＰ１４０７）、新たなメッセージのデータを取得した場合には、このメッセージのデータによってメッセージ記憶手段１１０の該当するメッセージを更新する（ＳＴＥＰ１４０９）。
【００８１】
以上のような本実施形態によれば、ユーザは、自動更新の条件を「日」とすれば、自らメッセージ提供サーバ２０にアクセスすることなく、最新のメッセージを取得することが可能になる。また、自動更新の条件を「日」「ランダム」とすれば、日々、自分の予期しないメッセージを取得して楽しむことができるようになる。
【００８２】
［第３の実施形態］
本実施形態は、上記第１及び第２の実施形態の応用である。第３の実施形態では、携帯電話機１０が、メッセージ提供サーバ２０から取得したメッセージを電子メールの形態で他の携帯電話機に送信する場合について説明する。
【００８３】
図１５は、本実施形態に係る携帯電話機の機能を示す機能構成図である。なお、上記各実施形態と同じ構成要素ないしは機能実現手段には同じ符号を付しているとともに、所定の機能実現手段については記載を省略している。同図に示すように、携帯電話機１０は、新たに、メッセージを送信する条件をユーザの操作に従い設定する送信条件設定手段１１８と、メールの送受信を管理するとともに、送信条件設定手段１１８から通知される情報に従って所定のメッセージデータを添付した電子メールを生成するメールクライアント１１９を備えている。
【００８４】
図１６は、携帯電話機１０の画面に表示された画面の一例を示す図である。ユーザは、同図に示すメッセージ転送画面において、メッセージを転送する条件を設定する。例えば、転送するメッセージの種類、転送先となるメールアドレスを指定する。
【００８５】
図１７は、携帯電話機１０におけるメッセージ送信処理の流れを説明するためのフローチャートである。まず、携帯電話機１０は、メッセージ転送画面にてメッセージが選択されているか否かを判断し（ＳＴＥＰ１７０１）、次に、メッセージ転送画面にて宛先となるメールアドレスが指定されているか否かを判断する（ＳＴＥＰ１７０２）。次に、携帯電話機１０は、例えば「野球選手Ａの応答メッセージを送ります」という内容のコンテンツを作成し、指定されたメールアドレスを宛先に設定して（ＳＴＥＰ１７０４）、メッセージ記憶手段から読み出した応答メッセージのデータを添付した電子メールを送信する（ＳＴＥＰ１７０５）。
【００８６】
以上のような本実施形態によれば、他の携帯電話機１０のユーザが、携帯電話機１０から送信されたメッセージを聞いてこれを気に入った場合に、ユーザはそのメッセージを電子メールに添付して直接他の携帯電話機１０へ送信することができるようになる。また、逆に、他の携帯電話機１０から送られたメッセージを聞いたユーザがそのメッセージを気に入った場合にも、他の携帯電話機１０からそのメッセージをユーザの携帯電話機１０へ直接送ることができるようになるので、携帯電話機１０のコミニュケーションツールとしての機能を、より一層充実させることができるようになる。
【００８７】
［第４の実施形態］
第４の実施形態は、上記実施形態で説明したメッセージの種類をさらに多様化するために、通話が終了した時点で例えば携帯電話機の画面に表示するための終了メッセージと、携帯電話機の呼び出し音（相手を呼び出し中に流れる音）として再生出力するための呼び出しメッセージと、をユーザが適宜設定可能なメッセージとして新たに設定したことを特徴とする。具体的には、携帯電話機は、外部のサーバに格納されているこれらのメッセージ情報を取得して格納しておく。ユーザが他の携帯電話機に電話をかけると、外部のサーバから取得した呼び出しメッセージが既存の呼び出し音の代わりに再生出力される。また、相手との通話が終了すると、外部のサーバから取得した終了メッセージが画面に表示される。
【００８８】
これによれば、従来画一的で単調であった呼び出し音を、ユーザが所望する内容の音に自由に設定変更することができるようになるので、携帯電話機の仕様をユーザの所望する内容に変更できるようになる。また、例えば、相手がなかなか応答せず呼び出し時間が長時間にわたるような場合でも、ユーザは、好きなメロディを繰り返し聞くことができるので、退屈感や苛立ち感を覚えることなく相手の応答を待つことができるようになる、という効果がある。
【００８９】
なお、これらのメッセージ情報は、音声情報、音源情報（楽曲情報）、画像情報、文字情報などから適宜構成することができるが、本実施形態では、終了メッセージは、文字情報から構成され、呼び出しメッセージは音源情報から構成される場合について説明する。
【００９０】
［機能構成図］
図１８は、本実施形態に係る携帯電話機の機能を示す機能構成図である。なお、上記各実施形態と同じ構成要素ないしは機能実現手段には同じ符号を付しているとともに、所定の機能実現手段については記載を省略している。同図に示すように、携帯電話機１０は、メッセージ記憶手段１１０に格納された終了メッセージを読み出して携帯電話機１０の画面に表示する表示制御手段１２０と、発信手段１１３による発信の結果、所定の交換機から着信先の携帯電話機１０の呼び出し通知を受け付けた場合に呼び出し音を出力する呼出手段１２２と、所定の交換機から着信先の携帯電話機１０の応答通知を受け付けると、呼出手段１２２の呼び出しを中止するように制御するとともに、通話手段１０６に応答通知を受け付けたことを通知する応答確認手段１２３と、を備える。
【００９１】
［データ構成図］
図１９は、第４の実施形態に係るメッセージ管理ＤＢ２０１のデータ構造の一例を示す図である。上記各実施形態と基本的なデータ構成は同じであるため、データ構成についての説明は省略する。本実施形態では、識別ＩＤ４２に、終了メッセージの場合は「３」、呼び出しメッセージの場合は「５」が格納されている。なお、文字データ１９９には、携帯電話機１０が可読可能な形式で保存された文字データが格納される。呼出メッセージの音源データには、例えば人気のある楽曲のデータ（メロディ）などが、携帯電話機１０が再生可能な形式で格納される。
【００９２】
図２０、第４の実施形態に係る携帯電話機１０が備えるメッセージ記憶手段のデータ構造の一例を示す図である。メッセージ記憶手段１１０のデータ構成は基本的には上記各実施形態と同じである。メッセージ記憶手段１１０には、終了メッセージや呼出メッセージを含む各種メッセージデータと、終了メッセージや呼出メッセージを含む各種メッセージを管理するためのメッセージ管理テーブルを備えている。メッセージ管理テーブルは、メッセージの属性ごとに振り分けられたメッセージデータをそれぞれ管理する。
【００９３】
図２０（Ａ）は、終了メッセージを管理するテーブルであり、終了メッセージを示す識別ＩＤを備えた１または１以上のメッセージデータから構成される。例えば、終了メッセージＩＤ６１、終了メッセージの設定条件６２、終了メッセージデータの格納領域を示すポインタ６３等を含んでいる。設定条件２０２には、終了メッセージの出力条件に関する設定が格納され、本実施形態では、通常使用する終了メッセージであるか否かを示す値が格納される。ここでは、通常フラグがＯＮである終了メッセージが出力される。終了メッセージの出力に関する設定条件はこれに限られず、任意に設定することが可能であり、例えば、時間帯に応じて出力する終了メッセージを決定するように構成してもよい。
【００９４】
図２０（Ｂ）は、呼出メッセージを管理するテーブルであり、呼出メッセージを示す識別ＩＤを備えた１または１以上のメッセージデータから構成される。例えば、呼出メッセージＩＤ６４、呼出メッセージの設定条件６５、呼出メッセージデータの格納領域を示すポインタ６６等を含んでいる。設定条件２０２には、呼出メッセージの出力条件に関する設定が格納される。本実施形態では、着呼先の携帯電話機の登録番号によって異なる呼出メッセージが出力されるように、呼出メッセージと着呼先の携帯電話機の登録番号とを対応付けて記憶している。呼出メッセージの出力時には、着呼先の携帯電話機の登録番号を検索キーとして該当する呼出メッセージが抽出される。よって、例えば着呼先の携帯電話機の番号を間違えて入力した場合には、意図しない呼出メッセージが再生出力されるので、相手が応答する前に、番号の入力を間違えたことに気がつき、発呼を中止することもできるようになる。なお、呼出メッセージの出力に関する設定条件はこれに限られず、任意に設定することが可能であり、例えば、時間帯に応じて出力する呼出メッセージが決定されるように構成してもよい。
【００９５】
［終了メッセージや呼出メッセージの登録］
次に、終了メッセージや呼出メッセージを携帯電話機１０に登録する場合について説明する。メッセージの登録処理は、図６に示したメッセージ登録処理の流れと同様の手順により進められるため、ここでは説明を省略する。
【００９６】
同２１（Ａ）は、携帯電話機１０の画面に表示されたメッセージ提供サーバ２０のＴＯＰ画面の一例を示している。ここで、ユーザが、「呼出メッセージ」を選択して「ダウンロード画面へ」を選択すると、図２１（Ｂ）に示す画面に遷移する。図２１（Ｂ）は、呼出メッセージのリストを表示するリスト表示画面であり、ここでは、複数の曲のメロディに対応する呼出メッセージが提供されている。ユーザが、所望の呼出メッセージの「メッセージをダウンロード」を選択すると、携帯電話機１０は、選択された呼出メッセージをサーバから取得し、メッセージ記憶手段１１０に記憶する。
【００９７】
［終了メッセージの表示処理の流れ］
次に、通話終了後に終了メッセージを表示する処理の流れについて説明する。図２２は、携帯電話機１０における終了メッセージの表示処理の流れを説明するためのフローチャートである。ここでは、携帯電話機（ＣＰＵ）１０のユーザが他の電話機のユーザと通話中であることを前提とする。
【００９８】
まず、携帯電話機１０は、切断指示の入力を受け付けたか否かを判断する（ＳＴＥＰ２２０１）。切断の判断は、特定の操作手段をユーザが操作することより切断指示が入力された場合に、切断指示があったものと判断する。携帯電話機１０が、切断指示を受け付けたと判断すると（ＳＴＥＰ２２０１のＹｅｓ）、所定の切断要求を送信する（ＳＴＥＰ２２０２）。
【００９９】
携帯電話機１０は、切断要求を送信すると、切断設定が表示モードであるか否かを判断する（ＳＴＥＰ２２０３）。ここでは、切断設定は、所定の記憶領域に切断フラグとして格納されている。切断フラグは、切断時の携帯電話機１０のモードを識別するための識別情報であり、少なくとも表示モードか通常モードかを示す値が格納される。そして、携帯電話機１０は、所定の記憶領域から読み出した切断フラグに従って表示モードであると判断した場合には（ＳＴＥＰ２２０３のＹｅｓ）、終了メッセージ管理テーブルから条件に合致する終了メッセージを選択する（ＳＴＥＰ２２０４）。本実施の形態では、「通常フラグがＯＮであること」が条件となっている。よって、携帯電話機１０は、終了メッセージ管理テーブルから通常フラグの値がＯＮであるものを特定し、特定した終了メッセージを表示装置１０ａに出力表示する（ＳＴＥＰ２２０５）。
【０１００】
図２３は、終了メッセージが表示された携帯電話機１０の画面の例を示す図である。同図によれば、通話時間と一緒に終了メッセージ２２ａ（「ＯＯの新商品のご案内  夏季限定版が出ました。限定３００枚！詳細情報はこちら」という文章とＵＲＬ）が表示されている。ユーザが、表示されたＵＲＬを選択すると、携帯電話機１０は、このＵＲＬにて指定された場所にアクセスし、表示された商品の詳細情報を取得する。
【０１０１】
［呼出メッセージの出力処理の流れ］
次に、発信後にユーザが設定登録した呼出メッセージを呼び出し音として出力する処理の流れを説明する。図２４は、携帯電話機１０における呼出メッセージの出力処理の流れを説明するためのフローチャートである。
【０１０２】
まず、携帯電話機１０は、発呼指示が入力されたか否かを判断する（ＳＴＥＰ２４０１。発呼指示の入力の有無は、携帯電話機１０の操作手段が操作されることにより着呼先の電話番号と発呼指示が入力された場合に、発呼指示の入力があったものと判断する。携帯電話機１０は、発呼指示が入力された場合（ＳＴＥＰ２４０１のＹｅｓ）には、発呼要求と着呼先の電話番号を発信する（ＳＴＥＰ２４０２）。
【０１０３】
携帯電話機１０から発信された発呼要求と着呼先の電話番号とを受信した所定の交換機は、所定の手順に従って着呼先の携帯電話機が属する交換機を特定し、特定した交換機に対して発呼要求があった旨を送信する。着呼先の携帯電話機が属する交換機は、発呼元の交換機から送られる発呼設定を受信すると、着呼処理を実行する。つまり、着呼先の携帯電話機に着信要求を送信する。着呼先の携帯電話機は、この着信要求に応答して所定の着信音を出力し携帯電話機の利用者に着信があった旨を通知する。また、着呼先の携帯電話機が属する交換機は、着呼先の携帯電話機を呼び出し中である旨を交換機に送り返す。交換機は、着呼先の携帯電話機が属する交換機から送られる呼び出し中である旨を受信すると、発呼元の携帯電話機１０に呼び出し通知を送信する。
【０１０４】
携帯電話機１０は、交換機から送られる呼び出し通知を受信すると（ＳＴＥＰ２４０３）、呼出メッセージ管理テーブルから条件に合致する呼出メッセージを選択し（ＳＴＥＰ２４０４）、選択した呼出メッセージを再生出力する（ＳＴＥＰ２４０５）。なお、呼出メッセージ管理テーブルの出力条件には、着呼先の携帯電話機の登録番号によって異なる呼出メッセージが出力されるように、呼出メッセージと着呼先の携帯電話機の登録番号とが対応付けて記憶されている。従って、携帯電話機１０は、呼出メッセージ管理テーブルから着呼先の携帯電話機の登録番号を検索キーとして該当する呼出メッセージを抽出する。
【０１０５】
一方、着呼先の携帯電話機において利用者が着信に応答すると、着呼先の携帯電話機は、交換機に応答する旨を通知する。交換機１０は、着呼先の携帯電話機から応答する旨の通知を受け付けると、発呼元の携帯電話機１０に応答通知を送信する。携帯電話機１０は、交換機から送られる応答通知を受信すると（ＳＴＥＰ２４０６）、呼出メッセージの出力を中止して、通話処理を開始する（ＳＴＥＰ２４０７）。
【０１０６】
なお、呼出メッセージ管理テーブルには、着呼先を呼び出し中である場合と着呼先が話し中である場合とで異なる呼出メッセージが出力されるように、呼出メッセージと着呼先の状況とを対応付けて記憶してもよい。携帯電話機１０が、着呼先の携帯電話機を呼び出し中である旨を示す呼び出し通知のかわりに、着呼先の携帯電話機が話し中である旨を受信した場合には、呼出メッセージ管理テーブルから着呼先の携帯電話機の登録番号と着呼先の状況（呼び出し中）を検索キーとして該当する呼出メッセージを抽出する。
【０１０７】
上記実施形態によれば、携帯電話機１０に呼出メッセージを登録する手段を設けるとともに、着呼先の携帯電話機を呼び出している間は、登録された呼出メッセージを出力することとしたので、ユーザは、いわゆる呼び出し音を自分の所望する呼び出し音に設定することができるようになる。その結果、ユーザは、既存の携帯電話機を自分の個性により合った携帯電話機に改良することが可能になる。
【０１０８】
また、ユーザは、相手を呼び出している間、従来単調であった呼び出し音の代わりに自分の好きな楽曲を聴くことができるので、呼び出し時間が長時間にわたるような場合であっても、退屈感を感じることなく相手の応答を待つことができるようになる。
【０１０９】
なお、本実施形態の構成は、上記第１から第３の実施形態の構成に適宜組み合わせあるいは応用することが可能である。
【０１１０】
［第５の実施の形態］
本実施形態では、上記携帯電話機における各メッセージの出力を交換機側で制御することを特徴とする。具体的には、各メッセージ情報を交換機側に設けられたメッセージ管理装置に記憶するとともに、所望のメッセージやその出力条件等をユーザが登録するための登録手段を交換機側のメッセージ管理装置に設ける。そして、交換機側では、ユーザの携帯電話機から発呼等に関する各要求信号を受信すると、所定の条件に合致するメッセージをメッセージ管理装置から発呼元の携帯電話機や着信先の携帯電話機に送出するように制御する。
【０１１１】
これによれば、例えば、交換機側が、各種設定条件に基づいて、発呼元のユーザの携帯電話機に所定の呼出メッセージを送信したり、着呼先の携帯電話機に所定の終了メッセージを送信したりすることが可能になる。
【０１１２】
［全体システムの概要］
図２５は、第５の実施形態に係るメッセージ管理システムを実現する全体システムを説明するための図である。このメッセージ管理システムは、たとえば携帯電話機を用いた移動通信網におけるメッセージ管理機能を有する。メッセージ管理システムは、公衆網４０に対して第１〜第ｎ（ｎは自然数）の交換機６０−１〜６０−ｎと、各種メッセージに関するサービスを提供するメッセージ管理装置７０と、携帯端末位置管理装置８０と、が収容されている。公衆網１４は、図示しない複数の交換機によって、広範な範囲で回線の接続や切り替えが行われる。第１〜第ｎの交換機６０−１〜６０−ｎは、それぞれ図示しない第１〜第ｎの無線基地局を収容し、各無線基地局は、それぞれの無線エリアに所在する携帯電話機１０を認識している。メッセージ管理装置７０は、公衆網４０が収容する携帯電話機１０から利用可能な各種メッセージ情報や、各種メッセージ情報に対して携帯電話機１０のユーザが設定した設定条件を管理する。また、設定条件に従うメッセージ情報を各携帯電話機１０に提供する。メッセージ情報としては、上記各実施形態にて説明した各種メッセージを適用することができるが、本実施形態では、終了メッセージおよび呼出メッセージについて説明する。携帯端末位置管理装置８０は、予め登録されている携帯電話機が、どの無線基地局の無線エリア内に所在するかを示す登録位置情報が記憶されている。この登録位置情報は、所定の位置登録処理により適時更新される。
【０１１３】
このような構成のメッセージ管理システムにおいて、携帯電話機１０−１から携帯電話機１０−ｎへの発呼した場合の接続処理について簡単に説明する。携帯電話機１０−１から携帯電話機１０−ｎへの発呼は、携帯電話機１０−１が認識される無線エリアの無線基地局と交換機６０−１そして公衆網４０を介して携帯端末位置管理装置８０に接続される。携帯端末位置管理装置８０には、上述したように、予め登録されている携帯電話機がどの無線基地局の無線エリア内に所在するかを示す登録位置情報が記憶されている。よって、携帯端末位置管理装置８０は、携帯電話機１０−１の発呼に対応して、着信先の携帯電話機１０−ｎの所在に対応する無線基地局を収容する交換機６０−ｎを示す登録位置情報を検索し、公衆網４０を介して交換機６０−１に送出する。交換機６０−１は、この登録位置情報を参照して、公衆網４０を介して交換機６０−ｎと接続して通話路を確立する。これにより、携帯電話機１０−１と携帯電話機１０−ｎ間の通話が可能になる。なお、本実施形態では、メッセージ管理装置７０と携帯端末位置管理装置８０とを別々に構成した場合について説明するが、これらを１の装置として構成してもよい。
【０１１４】
［交換機の概要］
次に、このように構成される交換機の構成について説明する。図２６は、交換機の構成要部の概要を表わしたものである。交換機６０は、収容される各装置との間で呼処理を行う呼制御手段６０１と、呼制御手段６０１で行われる呼処理に応じて回線切替および接続を行うスイッチング手段６０２とを有している。この交換機には、配下の無線基地局が収容する携帯電話機からの発呼や、この携帯電話機への着呼のみならず、メッセージ管理装置７０により提供されるサービスを指示する各種信号が入出力される。
【０１１５】
呼制御手段６０１は、例えば、入力される各種信号が、発呼、発着呼またはメッセージサービスの設定に関する要求のうち、どの種別であるかを判別する機能を備える。本実施形態に係る各種信号フォーマットの一例を説明する。各種信号は、ヘッダフィールドと、データフィールドとを有している。ヘッダフィールドは、プロトコルを識別するためのプロトコル識別子や、信号の種別を示す信号種別フィールドなどが記入され、伝送される信号自体の送受信制御に用いられる。データフィールドは、発信元電話番号と着信先電話番号と伝送すべきデータ自身であるメッセージ内容とを有し、信号種別フィールドで種別される信号に応じて異なる。本実施形態では、このようなフォーマットの信号が、そのままあるいは多重あるいは分離されて送受信される。このような交換機６０の呼制御手段６０１は、図示しないＣＰＵを有しており、ＲＯＭなどの所定の記憶装置に格納された制御プログラムに基づいて各種制御を実行することができるようになっている。
【０１１６】
［携帯端末位置管理装置］
次に、図２５に図示される携帯端末位置管理装置の構成について説明する。図２７は、携帯端末位置管理装置８０の構成要部の概要を表わしたものである。この携帯端末位置管理装置８０は、上述した登録位置情報およびメッセージ管理装置への接続情報等が記憶されている位置情報記憶手段８０１（位置情報ＤＢ）と、この位置情報ＤＢ８０１を検索する検索手段８０３とを備えている。さらに携帯端末位置管理装置８０は、第１〜第ｎの交換機６０との間で携帯端末位置管理装置８０の登録情報に対するアクセス要求やアクセス結果を制御するアクセス制御手段８０２を有している。このような携帯端末位置管理装置８０のアクセス制御手段８０２は、図示しないＣＰＵを有しており、ＲＯＭなどの所定の記憶装置に格納されたプログラムに基づいて各種制御を実行することができるようになっている。
【０１１７】
［メッセージ管理装置の概要］
次に、図２５に構成されるメッセージ管理装置の構成について説明する。図２８は、メッセージ管理装置７０の構成要部の概要を表わしたものである。メッセージ管理装置７０は、携帯電話機１０から利用可能な各種メッセージに関する情報を記憶するメッセージ記憶手段７０１（メッセージＤＢ）と、ユーザが設定したメッセージに関する設定情報をユーザの携帯電話機に関する情報と対応づけて記憶管理するユーザ記憶手段７０２（ユーザＤＢ）と、携帯電話機１０からのメッセージ登録要求を受け付けてその内容をユーザＤＢ７０２に格納するとともに、メッセージＤＢ７０１を更新するメッセージ設定手段７０３を備える。また、メッセージ管理装置７０は、交換機６０や携帯電話機１０から送信される発呼に関する信号を受け付けて処理する呼制御手段７０４と、呼制御手段７０４が受け付けた内容に合致するメッセージをメッセージＤＢ７０１やユーザＤＢ７０２から検索する検索手段７０５を備える。このようなメッセージ管理装置７０は、図示しないＣＰＵを有しており、ＲＯＭなどの所定の記憶装置に格納されたプログラムに基づいて各種制御を実行することにより、メッセージ設定手段７０３や呼制御手段７０４および検索手段７０５として機能する。
【０１１８】
［データ構成］
次に、携帯端末位置管理装置８０が備える位置情報ＤＢ８０１のデータ構成について説明する。図２９は、位置情報ＤＢ８０１のデータ構成の一例を示す図である。同図に示すように、位置情報ＤＢ８０１は、携帯電話機に予め固有に割り当てられている携帯端末ＩＤ２９１、携帯電話機に設定されている電話番号２９２、携帯電話機の所在する無線エリアを配下とする無線基地局とこれを収容する交換機とを特定する位置情報２９３、呼出メッセージに対する設定内容を示す呼出設定情報２９４、終了メッセージに対する設定内容を示す終了設定情報２９５を備える。なお、呼出設定情報２９４および終了設定情報２９５には、それぞれ呼出メッセージ機能または終了メッセージ機能を利用するか否かを示す情報が格納される。ここでは、利用する場合はＯＮ、利用しない場合はＯＦＦが格納される。
【０１１９】
次に、メッセージ管理装置８０が備えるメッセージＤＢ７０１の構成は、上記実施形態の図４及び図１９にて説明したメッセージＤＢの構成を適用することができるので、ここでは説明を省略する。
【０１２０】
次に、メッセージ管理装置８０が備えるユーザＤＢ７０２のデータ構成について説明する。図３０は、ユーザＤＢ７０２のデータ構成の一例を示す図である。同図に示すように、ユーザＤＢ７０２は、携帯電話機に予め固有に割り当てられている携帯端末ＩＤ３０１、携帯電話機に設定されている電話番号３０２、終了メッセージに対する設定内容を示す終了設定情報３０３、呼出メッセージに対する設定内容を示す呼出設定情報３０４、メッセージＤＢ７０１に格納されている終了メッセージを特定する終了メッセージＩＤ３０５、メッセージＤＢ７０１に格納されている呼出メッセージを特定する呼出メッセージＩＤ３０６、終了メッセージＩＤ３０５の利用期間を示す終了メッセージ期間３０７、呼出メッセージＩＤ３０６の利用期間を示す呼出メッセージ期間３０８と、を備える。なお、本実施形態では、終了設定情報３０３および呼出設定情報３０４には、終了メッセージや呼出メッセージを送出するか否かを示す情報（送出する場合はＯＮ、送出しない場合はＯＦＦ）が格納される。また、本実施形態では、終了メッセージＩＤ３０５や呼出メッセージＩＤ３０６に１のメッセージＩＤを設定しているが、複数のメッセージＩＤを登録してもよい。その場合には、発呼元の電話番号に応じて異なるメッセージを設定するように構成してもよい。
【０１２１】
なお、携帯電話機１０からのメッセージの登録は、予め設定された特定の番号を携帯電話機１０に入力することによりメッセージ登録要求を発信し、また、携帯電話機１０の所定のメニューに従って操作手段を操作することによりメッセージ登録要求を発信することにより行う。メッセージ管理装置８０のメッセージ設定手段７０３は、携帯電話機１０から送られるメッセージ登録要求を受信すると、メッセージ登録要求に従い、ユーザＤＢの内容を更新する。また、メッセージ管理装置７０がインターネットに接続されている場合には、メッセージ管理装置８０は、携帯電話機１０のブラウザ機能を利用して送信されるメッセージ登録要求に従い、ユーザＤＢ７０１の内容を更新する。
【０１２２】
［交換機の処理］
次に、交換機６０の動作について説明する。図３１は、交換機６０における呼制御手段６０１の制御プログラムの処理内容の概要を表わしたものである。まず、呼制御手段６０１は、図示しない対応する無線基地局および携帯端末位置管理装置８０または他の交換機から入力される予め決められたフォーマットの各種信号の種別を判別する（ＳＴＥＰ３１０１）。つまり、呼制御手段６０１は、受信した信号の信号種別フィールドを参照して、信号種別を判別する。呼制御手段６０１は、入力された信号が、通常の発呼であると判別したときは（ＳＴＥＰ３１０１のＹｅｓ）、携帯端末位置管理装置８０に対して、着信先の携帯電話機の位置情報を検索するための検索要求を行う。
【０１２３】
そして、携帯端末位置管理装置８０から、着信先の携帯電話機が所在する無線基地局とこれを収容する交換機とを特定するための位置情報を取得する。また、携帯端末位置管理装置８０から、着信先の携帯電話機に関する設定情報（呼出メッセージの設定の有無、終了メッセージの設定の有無）を取得する。そして、この発呼の着信先が所定のメッセージサービスの利用を設定しているとき、携帯端末位置管理装置８０から、メッセージ管理装置７０に対する接続情報を取得する（ＳＴＥＰ３１０２）。
【０１２４】
着信先の携帯電話機の位置情報を取得した呼制御手段６０１は、着信先の携帯電話機６０を配下とする交換機に対して、着呼を送出する（ＳＴＥＰ３１０３）。そして、設定情報を取得した呼制御手段６０１は、呼出メッセージの設定の有無を判断し（ＳＴＥＰ３１０４）、着信先の携帯端末機が呼出メッセージの設定を行なっている場合には、取得した接続情報に基づいてスイッチング手段６０２を制御して、メッセージ管理装置７０との間に通話路を接続させる。また、呼制御手段６０１は、呼出メッセージの送信要求と、発信元および着信先の電話番号をメッセージ管理装置７０に対して送出する（ＳＴＥＰ３１０５）。
【０１２５】
そして、メッセージ管理装置７０から、メッセージＤＢ７０１に格納された呼出メッセージを再生した音声情報や楽曲情報が送出されると、これを発信元の携帯電話機６０に送出する。なお、メッセージ管理装置７０は、着信先の携帯電話機の電話番号に関連づけて記憶されている呼出メッセージに対応する音声情報や楽曲情報を送出する。換言すれば、発信元の携帯電話機６０には、着信先の携帯電話機６０のユーザＡが設定した呼出メッセージ（例えば、ユーザＡが好きなタレントの楽曲のメロディ）が呼び出し音として流れることになる。
【０１２６】
呼制御手段６０１は、着信先の携帯電話機６０にてユーザが応答操作をすることにより着信先の携帯電話機６０を配下とする交換機６０から送られる応答信号を受信すると（ＳＴＥＰ３１０６のＹＥＳ）、発信元の携帯電話機６０と着信先の携帯電話機６０との間の通話を開始するため、着信先の携帯電話機６０の位置情報に基づいてスイッチング手段６０２を制御し、メッセージ管理装置７０から着信先の携帯電話機６０を配下とする交換機６０に接続先を変更する（ＳＴＥＰ３１０７）。これにより、発信元の携帯電話機６０から発呼を受けた交換機６０と着信先の携帯電話機６０を配下とする交換機６０との間で通話路が確立する（ＳＴＥＰ３１０８）。
【０１２７】
その後、呼制御手段６０１は、発信元の携帯電話機６０から切断信号を受信すると（ＳＴＥＰ３１０９）、ＳＴＥＰ３１０２にて受信した設定情報から、終了メッセージの設定の有無を判断し（ＳＴＥＰ３１１０）、着信先の携帯端末機が終了メッセージの設定を行なっている場合には、取得した接続情報に基づいてスイッチング手段６０２を制御して、メッセージ管理装置７０との間に通話路を接続させる。そして、終了メッセージの送信要求と、発信元および着信先の電話番号をメッセージ管理装置７０に対して送出する（ＳＴＥＰ３１１１）。これに応答してメッセージ管理装置７０から、メッセージＤＢ７０１に格納された終了メッセージがメール形式で送出されると、これを発信元の携帯電話機６０に送出する。また、呼制御手段６０１は、ＳＴＥＰ３１０７で確立した通話路を解放する（ＳＴＥＰ３１１２）。なお、発信元の携帯電話機６０は送出された終了メッセージを受信すると、これを表示装置に出力表示する。よって、発信元のユーザは、着信先のユーザが設定した所定の終了メッセージを通話終了後に受信することになる。
【０１２８】
［携帯端末位置管理装置の処理］
次に、携帯端末位置管理装置７０の動作について説明する。図３２は、携帯端末位置管理装置７０におけるアクセス制御手段８０２の制御プログラムの処理内容の概要を表わしたものである。
【０１２９】
まず、アクセス制御手段８０２は、各交換機から各種要求を受信する。これら各種要求は、専用線を介した所定フォーマットの要求信号であっても良いし、上述した信号フォーマットの要求信号であっても良い。いずれの場合であっても、各種要求が識別できれば良い。ここでは、各交換機６０と、携帯端末位置管理装置７０との間で、上述した信号フォーマットの各種信号が送受信されているものとする。
【０１３０】
アクセス制御手段８０２は、受信信号のヘッダフィールドを参照して、まず交換機６０から受信する各種要求の種別を判別する。すなわち、交換機６０から受信した要求信号が、着信先の携帯電話機の位置情報を検索する着信先検索要求であると判断した場合（ＳＴＥＰ３２１０）、検索手段８０３を介して着信先検索要求に含まれる着信先電話番号に基づいて位置情報ＤＢ８０１を検索し、着信先の携帯電話機６０の位置情報と設定情報（呼出メッセージ情報および終了メッセージ設定情報）を取得する（ＳＴＥＰ３２０２）。
【０１３１】
アクセス制御手段８０２は、取得した着信先の携帯電話機６０の設定情報を参照し、呼出メッセージまたは終了メッセージの設定が有効であるか否かを判断する（ＳＴＥＰ３２０４）。つまり、呼出メッセージ設定情報または終了メッセージ設定情報がそれらの利用を示すＯＮである場合には、該当するメッセージの設定が有効であると判断し、着信先の位置情報、設定情報、およびメッセージ管理装置７０への接続情報を、着信先検索要求を送信した交換機６０に送出する（ＳＴＥＰ３２０５）。一方、呼出メッセージ設定情報及び終了メッセージ設定情報がいずれもそれらの利用を示さないＯＦＦである場合には、該当するメッセージの設定が有効でないと判断し、着信先の位置情報のみを、要求元である着信先検索要求を送信した交換機６０に送出する（ＳＴＥＰ３２０６）。
【０１３２】
［メッセージ管理装置の処理］
次に、メッセージ管理装置８０の動作について説明する。図３３は、メッセージ管理装置８０における呼制御手段７０４の制御プログラムの処理内容の概要を表わしたものである。
【０１３３】
まず、呼制御手段７０４は、各交換機や携帯端末位置管理装置８０から各種要求を受信する。これら各種要求は、専用線を介した所定フォーマットの要求信号であっても良いし、上述した信号フォーマットの要求信号であっても良い。いずれの場合であっても、各種要求が識別できれば良い。ここでは、上述した信号フォーマットの各種信号が送受信されているものとする。
【０１３４】
呼制御手段７０４は、所定の信号を受信すると、受信信号のヘッダフィールドを参照して、交換機６０から受信する各種要求の種別を判別する。そして、交換機６０から受信した要求信号が、呼出メッセージの送出を指示する呼出要求信号であると判別した場合は（ＳＴＥＰ３３０１）、検索手段７０５を介して呼出要求信号に含まれる着信先番号に基づいてユーザＤＢ７０２を検索し、着信先番号に対応付けて記憶されている呼出メッセージＩＤを取得する。そして、取得した呼出メッセージＩＤに対応するメッセージデータをメッセージＤＢ７０１から抽出し（ＳＴＥＰ３３０２）、抽出したメッセージデータを再生した音声情報を、要求元である発信元の携帯電話機を配下とする交換機６０に送出する（ＳＴＥＰ３３０３）。
【０１３５】
一方、交換機６０から受信した要求信号が、終了メッセージの送出を指示する終了要求信号であると判別した場合は（ＳＴＥＰ３３０４）、検索手段７０５を介して終了要求信号に含まれる着信先番号に基づいてユーザＤＢ７０２を検索し、着信先番号に対応付けて記憶されている終了メッセージＩＤを取得する。そして、取得した終了メッセージＩＤに対応するメッセージデータをメッセージＤＢ７０１から抽出し（ＳＴＥＰ３３０５）、抽出したメッセージデータをメール形式で、要求元である発信元の携帯電話機を配下とする交換機６０に送出する（ＳＴＥＰ３３０６）。図３４は、送出された終了メッセージが表示された発信元の携帯電話機６０の画面の一例を示す図である。
【０１３６】
以上、本実施形態によれば、着信側の携帯電話機よりユーザが設定した呼出メッセージや終了メッセージが発呼側の携帯電話機に送信される。よって、着信側のユーザは、通話の前後（着呼に応答する前や、通話を切断した後）の状態においても、発呼側のユーザに所望の情報を送信することが可能になる。
【０１３７】
従って、着呼側のユーザは、仮に着呼に応答できないような場合であっても、発呼側のユーザに自分が設定したメロディや音声情報を聞かせることで一種のコミュニケーションを図ることができるとともに、発呼側のユーザは、着呼側のユーザが応答するまでの間、着呼側のユーザが設定した呼び出し音を聞くことができるので、楽しみながら相手の応答を待つことができるようになる。
【０１３８】
［その他の実施の形態］
なお、上記実施の形態では、各処理をシーケンシャルに説明したが、動作に矛盾が生じない限り、処理の順序を入れ替えまたは並行動作するように構成しても良い。
【０１３９】
例えば、上記実施形態における呼び出しメッセージが企業ＣＭである場合に、ユーザがその企業ＣＭを呼び出しメッセージとして登録したときは、この登録したユーザに対して所定の広告料金が支払われるように構成する。また、広告料金の支払は、例えば、ユーザの通話料金から広告料金を差し引くことによって処理される。これによれば、ユーザは、企業ＣＭとしての呼び出しメッセージを設定することで、通話料金を安く抑えることができるようになるとともに、呼び出しメッセージを提供する企業側は、発呼あるいは着呼のたびに自身のＣＭを流すことができるようになる。
【０１４０】
【発明の効果】
電話端末装置が備える各種機能をユーザが所望の内容に設定変更できる電話端末装置を提供することが可能になる。
【図面の簡単な説明】
【図１】本実施形態に係る携帯電話機を実現する全体システムを説明するための図である。
【図２】本実施形態に係る携帯電話機の機能を示す機能構成図である。
【図３】図３は、本実施形態に係るメッセージ提供サーバの機能を示す機能構成図である。
【図４】メッセージ提供サーバ２０が備えるメッセージ管理ＤＢ２０１のデータ構造の一例を示す図である。
【図５】携帯電話機１０が備えるメッセージ記憶手段のデータ構造の一例を示す図である。
【図６】携帯電話機１０におけるメッセージ登録処理の流れを説明するためのフローチャートである。
【図７】携帯電話機１０の表示装置に表示された画面の一例を示す図である。
【図８】携帯電話機１０の表示装置に表示された画面の一例を示す図である。
【図９】携帯電話機１０における留守番電話モードにおける応答及び録音処理の流れを説明するためのフローチャートである。
【図１０】携帯電話機１０における伝言メッセージの再生処理の流れを説明するためのフローチャートである。
【図１１】携帯電話機１０における挨拶メッセージの送信処理の流れを説明するためのフローチャートである。
【図１２】第２の実施形態に係る携帯電話機の機能を示す機能構成図である。
【図１３】携帯電話機１０の表示装置に表示された画面の一例を示す図である。
【図１４】携帯電話機１０におけるメッセージ自動更新処理の流れを説明するためのフローチャートである。
【図１５】第３の実施形態に係る携帯電話機の機能を示す機能構成図である。
【図１６】携帯電話機１０の表示装置に表示された画面の一例を示す図である。
【図１７】携帯電話機１０におけるメッセージ送信処理の流れを説明するためのフローチャートである。
【図１８】第４の実施形態に係る携帯電話機の機能を示す機能構成図である。
【図１９】第４の実施形態に係るメッセージ管理ＤＢ２０１のデータ構造の一例を示す図である。
【図２０】第４の実施形態に係る携帯電話機１０が備えるメッセージ記憶手段のデータ構造の一例を示す図である。
【図２１】第４の実施形態に係る携帯電話機１０の表示装置に表示された画面の一例である。
【図２２】携帯電話機１０における終了メッセージの表示処理の流れを説明するためのフローチャートである。
【図２３】終了メッセージが表示された携帯電話機１０の画面の例を示す図である。
【図２４】携帯電話機１０における呼出メッセージの出力処理の流れを説明するためのフローチャートである。
【図２５】第５の実施形態に係るメッセージ管理システムを実現する全体システムを説明するための図である。
【図２６】交換機の構成要部の概要を表わしたものである。
【図２７】携帯端末位置管理装置８０の構成要部の概要を表わしたものである。
【図２８】メッセージ管理装置７０の構成要部の概要を表わしたものである。
【図２９】位置情報ＤＢ８０１のデータ構成の一例を示す図である。
【図３０】ユーザＤＢ７０２のデータ構成の一例を示す図である。
【図３１】交換機６０の処理内容の概要を表わしたものである。
【図３２】携帯端末位置管理装置７０の処理内容の概要を表わしたものである。
【図３３】メッセージ管理装置８０の処理内容の概要を表わしたものである。
【図３４】終了メッセージが表示された発信元の携帯電話機６０の画面の一例を示す図である。
【符号の説明】
１０…携帯電話機
２０…メッセージ提供サーバ
３０…ゲートウェイ
４０…デジタル無線網
５０…インターネット
【図１】
2005020617.tif 000003
【図２】
2005020617.tif 000004
【図３】
2005020617.tif 000005
【図４】
2005020617.tif 000006
【図５】
2005020617.tif 000007
【図６】
2005020617.tif 000008
【図７】
2005020617.tif 000009
【図８】
2005020617.tif 000010
【図９】
2005020617.tif 000011
【図１０】
2005020617.tif 000012
【図１１】
2005020617.tif 000013
【図１２】
2005020617.tif 000014
【図１３】
2005020617.tif 000015
【図１４】
2005020617.tif 000016
【図１５】
2005020617.tif 000017
【図１６】
2005020617.tif 000018
【図１７】
2005020617.tif 000019
【図１８】
2005020617.tif 000020
【図１９】
2005020617.tif 000021
【図２０】
2005020617.tif 000022
【図２１】
2005020617.tif 000023
【図２２】
2005020617.tif 000024
【図２３】
2005020617.tif 000025
【図２４】
2005020617.tif 000026
【図２５】
2005020617.tif 000027
【図２６】
2005020617.tif 000028
【図２７】
2005020617.tif 000029
【図２８】
2005020617.tif 000030
【図２９】
2005020617.tif 000031
【図３０】
2005020617.tif 000032
【図３１】
2005020617.tif 000033
【図３２】
2005020617.tif 000034
【図３３】
2005020617.tif 000035
【図３４】
2005020617.tif 000036